(57)【要約】      （修正有）【課題】温風暖房機の機体の前面を覆う前板の構造であって、機体の前面上部に樹脂製の飾り枠が設けられるものにおいて、飾り枠と前板との間に隙間を生じない体裁の良好なものを提供する。【解決手段】下部に温風吹出し口２ａを開設した板金製の前板本体２１と、前板本体２１の上縁に飾り枠２２の下縁を上下方向、前後方向及び左右方向に位置決めして結合する結合手段２３とを備え、前板本体２１に結合手段２３により飾り枠２２を結合した状態で機体１の前面に前板本体２１及び飾り枠２２を着脱自在とする。また、機体１の天井部に、下方に屈曲する前縁の屈曲縁１４と、屈曲縁１４の後側で下方に突出する爪部１５とが形成され、飾り枠２２の上部に後上がりに傾斜した傾斜板部２２ａと、傾斜板部２２ａの後部の係合孔とが形成され、屈曲縁１４の後側に傾斜板部を入り込ませた状態で係合孔に爪部１５を係合させる。【選択図】図２
2010159940.tif 000002
【特許請求の範囲】
【請求項１】
温風暖房機の機体の前面を覆う前板の構造であって、機体の前面上部に樹脂製の飾り枠が設けられるものにおいて、
下部に温風吹出し口を開設した板金製の前板本体と、前板本体の上縁に飾り枠の下縁を上下方向、前後方向及び左右方向に位置決めして結合する結合手段とを備え、前板本体に結合手段により飾り枠を結合した状態で機体の前面に前板本体及び飾り枠を着脱自在とすると共に、
機体の天井部に、下方に屈曲する前縁の屈曲縁と、屈曲縁の後側で下方に突出する爪部とが形成され、飾り枠の上部に後上がりに傾斜した傾斜板部と、傾斜板部の後部の係合孔とが形成され、屈曲縁の後側に傾斜板部を入り込ませた状態で係合孔に爪部を係合させることを特徴とする温風暖房機の前板構造。
【請求項２】
前記飾り枠の前面に、飾り枠の下縁に沿って光沢の有る金属製の帯板が取り付けられていることを特徴とする請求項１記載の温風暖房機の前板構造。
【発明の詳細な説明】
【技術分野】
【０００１】
本発明は、温風暖房機の機体の前面を覆う前板の構造に関する。
【背景技術】
【０００２】
従来、機体内に、通風ケースと、通風ケースの下端に連通しファンを内蔵するファンケースとを配置すると共に、通風ケース内にバーナを内蔵する燃焼筐を配置し、ファンの作動により、機体の背面の吸気口から吸引される空気に燃焼筐から排出される燃焼ガスを混合させ、機体の前面を覆う前板の下部に開設した温風吹出し口から温風として吹き出させるようにした温風暖房機が知られている（例えば、特許文献１参照）。
【０００３】
ところで、デザイン上の理由から、形状に自由度がある樹脂製の飾り枠を機体の前面上部に設けることが望まれる場合がある。この場合、一般的に考えられるのは、飾り枠を機体の前面上部に固定し、前板を飾り枠の下の機体前面部分に着脱自在に取り付けることである。
【０００４】
然し、これでは、飾り枠から前板を分離して取り外し自在とすることが必要になるため、飾り枠に対し前板を正確に位置決めできず、飾り枠の下縁と前板の上縁との間に隙間を生じやすくなって、体裁を損なう。
【先行技術文献】
【特許文献】
【０００５】
【特許文献１】特開２００４−２７１０８９号公報
【発明の概要】
【発明が解決しようとする課題】
【０００６】
本発明は、以上の点に鑑み、飾り枠と前板との間に隙間を生じない体裁の良好な温風暖房機の前板構造を提供することをその課題としている。
【課題を解決するための手段】
【０００７】
上記課題を解決するために、本発明は、温風暖房機の機体の前面を覆う前板の構造であって、機体の前面上部に樹脂製の飾り枠が設けられるものにおいて、下部に温風吹出し口を開設した板金製の前板本体と、前板本体の上縁に飾り枠の下縁を上下方向、前後方向及び左右方向に位置決めして結合する結合手段とを備え、前板本体に結合手段により飾り枠を結合した状態で機体の前面に前板本体及び飾り枠を着脱自在とすると共に、機体の天井部に、下方に屈曲する前縁の屈曲縁と、屈曲縁の後側で下方に突出する爪部とが形成され、飾り枠の上部に後上がりに傾斜した傾斜板部と、傾斜板部の後部の係合孔とが形成され、屈曲縁の後側に傾斜板部を入り込ませた状態で係合孔に爪部を係合させることを特徴とする。
【０００８】
本発明によれば、前板本体を飾り枠から分離して取り外し自在とする必要がなく、前板本体の上縁に飾り枠の下縁を結合手段により正確に位置決めして結合できる。そのため、前板本体の上縁と飾り枠の下縁との間に隙間は生じない。一方、飾り枠を前板本体と一緒に機体から取り外し自在とする必要があるため、飾り枠の上縁を機体の天井部前縁に正確に位置合わせすることは困難になる。然し、本発明では、機体の天井部前縁に形成した屈曲縁の後側に飾り枠の後上がりに傾斜する傾斜板部が入り込んだ状態で、爪部により飾り枠が機体天井部に係止されるため、機体天井部と飾り枠との間の隙間が目立たなくなり、前板本体の上縁と飾り枠の下縁との間の隙間の発生を防止できることと相俟って、体裁が良好になる。
【０００９】
また、本発明においては、飾り枠の前面に、飾り枠の下縁に沿って光沢の有る金属製の帯板が取り付けられていることが望ましい。これによれば、帯板がその光沢によって視覚的に強い印象を与えて、飾り枠の下縁と前板本体の上縁とのパーティングラインが目立たなくなり、体裁が一層良好になる。
【図面の簡単な説明】
【００１０】
【図１】本発明の実施形態の前板構造を具備する温風暖房機の斜視図。
【図２】図１のＩＩ−ＩＩ線で切断した温風暖房機の切断側面図。
【図３】図１の温風暖房機の前板の斜め後上方から見た斜視図。
【図４】図３のＩＶ−ＩＶ線で切断した拡大断面図。
【図５】図３のＶ−Ｖ線で切断した拡大断面図。
【図６】図３のＶＩ−ＶＩ線で切断した拡大断面図。
【図７】図３のＶＩＩ−ＶＩＩ線で切断した拡大断面図。
【発明を実施するための形態】
【００１１】
図１、図２を参照して、１は温風暖房機の機体を示している。機体１は、前面が開放された箱形に形成されている。機体１の前面は、温風吹出し口２ａを開設した前板２で覆われている。
【００１２】
機体１内には、機体１の背面に開設した吸気口１ａに連通する通風ケース３と、通風ケース３の下端に連通しファン４ａを内蔵するファンケース４とが配置されている。通風ケース３内には、バーナ５ａを内蔵する燃焼筐５が配置されている。そして、ファン４ａの作動により、吸気口１ａから通風ケース３内に空気を吸い込み、燃焼筐５からの燃焼ガスと空気とを混合して、温風吹出し口２ａから温風として吹き出させるようにしている。
【００１３】
前板２は、下部に温風吹出し口２ａを開設した板金製の前板本体２１と、機体１の前面上部を覆う樹脂製の飾り枠２２とで構成されている。また、前板本体２１の上縁に飾り枠２２の下縁を上下方向、前後方向及び左右方向に位置決めして結合する結合手段２３を備えている。
【００１４】
結合手段２３は、図３乃至図６に示す如く、前板本体２１の上縁に形成された後方への折り曲げフランジ２３１と、飾り枠２２の裏面の横方向複数個所に形成され、折り曲げフランジ２３１にこれを上下から挟み込むようにして後方から係合するフック部２３２と、飾り枠２２の裏面の横方向複数個所に形成され、折り曲げフランジ２３１に形成した各係合孔２３１ａに上方から係合する突起部２３３ａを有する爪部２３３と、飾り枠２２の裏面に左右一対に形成され、折り曲げフランジ２３１から立ち上がる舌片２３１ｂを受け入れてこれにねじ２３４ａ止めされるポケット部２３４とで構成されている。
【００１５】
この結合手段２３によれば、前板本体２１の上縁に飾り枠２２の下縁を正確に位置決めして結合できる。そのため、前板本体２１の上縁と飾り枠２２の下縁との間に隙間は生じない。そして、前板本体２１に結合手段２３により飾り枠２２を結合した状態で機体１の前面に前板２、即ち、前板本体２１及び飾り枠２２を着脱自在としている。
【００１６】
ここで、前板本体２１の左右の各側縁部には、後方に突出する上下一対の係止爪２４１，２４２が形成されている。また、機体１の左右各側の側板部の前縁部に、図示省略した上下一対の係止孔を形成している。そして、各係止爪２４１，２４２を各係止孔に係止している。尚、上側の係止爪２４１は上方に屈曲しており、係止爪２４１を上側の係止孔に挿入した後、前板本体２１を上方に押し上げることにより、係止孔の上縁部裏面に係止爪２４１が係合して、前板本体２１が前方に抜け止めされるようにしている。下側の係止爪２４２は、前板本体２１を押し上げた状態で下側の係止孔に挿入され、前板本体２１が押し上げ状態に保持される。
【００１７】
更に、前板本体２１の裏面には、温風吹出し口２ａに臨む複数のルーバー２５ａを有するルーバー枠２５が装着されており、ルーバー枠２５に複数の取付孔２６を形成している。そして、これら取付孔２６を通してねじをファンケース４の前端に締結することにより、前板２が機体１の前面に固定され、また、ねじを外すことで前板２を機体１から取り外すことができるようにしている。
【００１８】
ところで、飾り枠２２を機体１の前面上部に固定し、前板本体２１を飾り枠２２から分離して取り外し自在とすることも考えられる。然し、これでは、飾り枠２２に対し前板本体２１を正確に位置決めできず、飾り枠２２の下縁と前板本体２１の上縁との間に隙間を生じやすくなって、体裁を損なう。一方、本実施形態では、前板本体２１を飾り枠２２から分離して取り外し自在とする必要がなく、前板本体２１の上縁に飾り枠２２の下縁を結合手段２３により正確に位置決めして結合できる。そのため、前板本体２１の上縁と飾り枠２２の下縁との間に隙間は生じない。
【００１９】
但し、飾り枠２２を前板本体２１と一緒に機体１から取り外し自在とする必要があるため、飾り枠２２の上縁を機体１の天井部前縁に正確に位置合わせすることは困難になる。そのため、機体１の天井部と飾り枠２２との間の隙間が目立ってしまう可能性があり、対策を講ずることが必要になる。以下、この点について詳述する。
【００２０】
機体１の天井部は、樹脂製の天板１１と、天井部の横方向中央部に天板１１を覆うようにして取り付けた操作盤１２と、操作盤１２の横方向両側に位置し、機体１の左右各側の側板部から天板１１を覆うようにして横方向内方にのびるアルミ製のフレーム１３とで構成されている。そして、操作盤１２の前縁とフレーム１３の前縁とに下方に屈曲する屈曲縁１４を形成している。更に、天板１１の前端に、屈曲縁１４の後側で下方に突出する左右一対の爪部１５を形成している。
【００２１】
また、飾り枠２２の上部は、後上がりに若干傾斜した傾斜板部２２ａになっており、傾斜板部２２ａの後部に左右一対の係合孔２７，２７が形成されている。そして、屈曲縁１４の後側に傾斜板部２２ａを入り込ませた状態で、前板本体２１を上記の如く押し上げる際に各係合孔２７に各爪部１５を係合させるようにしている。これによれば、機体１の天井部と飾り枠２２との間の隙間が傾斜板部２２ａによって目立たなくなり、上記結合手段２３により前板本体２１の上縁と飾り枠２２の下縁との間の隙間の発生を防止できることと相俟って、体裁が良好になる。
【００２２】
更に、本実施形態では、飾り枠２２の前面に、飾り枠２２の下縁に沿って光沢のあるステンレスやアルミ等の金属製を帯板２８を取り付けている。帯板２８の横方向複数個所には、飾り枠２２に形成したスリットを通して飾り枠２２の背面にかしめ付けられるかしめ部２８ａが設けられている。
【００２３】
このように帯板２８を設ければ、帯板２８がその光沢によって視覚的に強い印象を与えて、飾り枠２２の下縁と前板本体２１の上縁とのパーティングラインが目立たなくなり、体裁が一層良好になる。
【００２４】
尚、飾り枠２２の下部の横方向一側部には、機体１側に設けた運転状態を表示するＬＥＤ（図示せず）からの光を透過するインジケータ部２９が設けられており、帯板２８はインジケータ部２９で分断されている。
【００２５】
以上、本発明の実施形態について図面を参照して説明したが、本発明はこれに限定されない。例えば、上記実施形態では、天板１１の左右両側部をフレーム１３で覆うようにしたが、フレーム１３を省略してもよい。この場合は、天板１１の左右両側部の前縁に屈曲縁１４を形成する。
【符号の説明】
【００２６】
１…機体、１１…天板(機体天井部)、１２…操作盤(機体天井部)、１３…フレーム(機体天井部)、１４…屈曲縁、１５…爪部、２…前板、２１…前板本体、２２…飾り枠、２２ａ…傾斜板部、２３…結合手段、２７…係合孔、２８…帯板。
【図１】
2010159940.tif 000003
【図２】
2010159940.tif 000004
【図３】
2010159940.tif 000005
【図４】
2010159940.tif 000006
【図５】
2010159940.tif 000007
【図６】
2010159940.tif 000008
【図７】
2010159940.tif 000009